(57)【要約】【課題】水槽の周囲に設けられた断熱材への結露による水の滴下を防ぐこと。【解決手段】湿し水を貯留する水槽１の外面に、湿し水を保温する断熱材２が設けられ、かつ断熱材２の周囲に、保水性を有した吸水部材３を配置する。すなわち、断熱材２の外面が結露しても、この結露による水を吸水部材３により吸水して保持する。このため、断熱材２への結露による水の滴下を防ぐことが可能になる。この結果、結露による水の滴下により生じ得る不具合、すなわちオフセット印刷機の金属部品が錆びたり、ウェブが汚損したりする事態を防ぐことが可能になる。【選択図】図３
2010228368.tif 000002
【特許請求の範囲】
【請求項１】
湿し水を貯留する水槽の外面に、前記湿し水を保温する断熱材が設けられている湿し装置において、
前記断熱材の周囲に、保水性を有した吸水部材を配置したことを特徴とする湿し装置。
【請求項２】
前記水槽周辺の温度よりも高い温度にて前記吸水部材を加熱する加熱手段を備えたことを特徴とする請求項１に記載の湿し装置。
【請求項３】
前記加熱手段は、機械部品に供給された潤滑用の潤滑油を適用してなることを特徴とする請求項２に記載の湿し装置。
【請求項４】
前記加熱手段は、機械部品の冷却において熱交換された送風を適用してなることを特徴とする請求項２に記載の湿し装置。
【請求項５】
前記加熱手段は、機械部品が支持されたフレームを適用してなることを特徴とする請求項２に記載の湿し装置。
【請求項６】
前記断熱材と前記吸水部材との間に隙間を形成したことを特徴とする請求項１〜５のいずれか一つに記載の湿し装置。
【請求項７】
湿し水を貯留する水槽の外面に、前記湿し水を保温する断熱材が設けられている湿し装置の結露滴下防止方法において、
前記断熱材の周囲に生じた結露による水を毛細管現象により保水し、この保水した水を加熱して蒸発させることを特徴とする湿し装置の結露滴下防止方法。
【請求項８】
印刷媒体を供給する供給部と、前記供給部から供給された前記印刷媒体に印刷を施す印刷部と、前記印刷部で印刷された前記印刷媒体を排出する排出部とを備えたオフセット印刷機において、
請求項１〜６のいずれか一つに記載の湿し装置を前記印刷部に適用したことを特徴とするオフセット印刷機。
【発明の詳細な説明】
【技術分野】
【０００１】
本発明は、湿し装置、湿し装置の結露滴下防止方法および前記湿し装置が適用されるオフセット印刷機に関する。
【背景技術】
【０００２】
一般に、オフセット印刷機は、給紙装置と、印刷装置と、乾燥装置と、冷却装置、折り装置を有している。印刷装置は、複数の印刷ユニットからなり、多色印刷を行う場合には印刷ユニットが印刷色数だけ設けられる。従って、給紙装置によりロール状のウェブ（印刷媒体）が繰り出され、印刷装置の各印刷ユニットにより印刷されたウェブは、乾燥装置でインキが乾燥され、冷却装置で冷却され、折り装置で折丁が作成される。
【０００３】
また、印刷装置における各印刷ユニットは、ウェブの表面に印刷を行う上ユニットと、ウェブの裏面に印刷を行う下ユニットとを有して、同時にウェブの両面に印刷を行うことができる。上下ユニットは、印刷画像が形成された刷版を装着する版胴と、版胴の刷版にインキを供給するインキ装置と、版胴の刷版に湿し水を供給する湿し装置と、版胴の刷版に供給されたインキによる画像をウェブに転写するブランケット胴とを有している。上下ユニットの各ブランケット胴は、所定の印圧で互いに対向して接している。そして、各ブランケット胴の間に形成されるニップ部にウェブが通過することで、このウェブの両面に印刷が施される。
【０００４】
このように、オフセット印刷機に適用される湿し装置は、湿し水を貯留する水槽を有している。水槽内の湿し水には、水元ローラが浸されている。そして、回転する水元ローラを介して湿し水を版胴の刷版へ供給する。この湿し装置は、安定した印刷品質を得るため、湿し水が摂氏十数度に保持されている必要がある。そこで、特許文献１〜特許文献３に示すように、水槽には、印刷ユニット内の温度により湿し水が温まらないように、断熱材が設けられている。
【先行技術文献】
【特許文献】
【０００５】
【特許文献１】特開平９−２１６３３１号公報
【特許文献２】特開平１１−３００９２６号公報
【特許文献３】特開２００１−３０１１１７号公報
【発明の概要】
【発明が解決しようとする課題】
【０００６】
ところで、近年のオフセット印刷機では、性能向上により高速で印刷を行え、かつ安全性のためにカバーやプロテクターで機械部品が覆われている。このため、ローラのゴムの撓みにより発生する熱や、駆動系が発生する熱などにより、印刷ユニット内の温度は上昇する傾向にある。この結果、特許文献１〜特許文献３のように水槽に断熱材が設けられていても、湿し水と周囲との温度差により断熱材の外面が結露し易くなる。そして、結露による水が滴下すると、オフセット印刷機の金属部品が錆びたり、印刷媒体が汚損したりするおそれがある。
【０００７】
本発明は、上記に鑑みてなされたものであって、水槽の周囲に設けられた断熱材への結露による水の滴下を防ぐことのできる湿し装置、湿し装置の結露滴下防止方法およびオフセット印刷機を提供することを目的とする。
【課題を解決するための手段】
【０００８】
上述の目的を達成するために、本発明の湿し装置では、湿し水を貯留する水槽の外面に、前記湿し水を保温する断熱材が設けられている湿し装置において、前記断熱材の周囲に、保水性を有した吸水部材を配置したことを特徴とする。
【０００９】
この湿し装置によれば、水槽が高温雰囲気中にあって、湿し水との温度差により断熱材の外面が結露しても、この結露による水を吸水部材により吸水して保持する。このため、断熱材への結露による水の滴下が防げる。
【００１０】
また、本発明の湿し装置では、前記水槽周辺の温度よりも高い温度にて前記吸水部材を加熱する加熱手段を備えたことを特徴とする。
【００１１】
この湿し装置によれば、吸水部材に吸水されて保持された水を加熱手段により加熱して蒸発させることで、断熱材への結露による水の滴下をさらに防げる。
【００１２】
また、本発明の湿し装置では、前記加熱手段は、機械部品に供給された潤滑用の潤滑油を適用してなることを特徴とする。
【００１３】
この湿し装置によれば、潤滑油の熱により吸水部材を加熱するので、別途熱源を必要としない。さらに、吸水部材の加熱によって熱交換して潤滑油を冷却できるので、潤滑油の冷却に要するエネルギーを節約できる。
【００１４】
また、本発明の湿し装置では、前記加熱手段は、機械部品の冷却において熱交換された送風を適用してなることを特徴とする。
【００１５】
この湿し装置によれば、送風の熱により吸水部材を加熱するので、別途熱源を必要としない。
【００１６】
また、本発明の湿し装置では、前記加熱手段は、機械部品が支持されたフレームを適用してなることを特徴とする。
【００１７】
この湿し装置によれば、フレームの熱により吸水部材を加熱するので、別途熱源を必要としない。
【００１８】
また、本発明の湿し装置では、前記断熱材と前記吸水部材との間に隙間を形成したことを特徴とする。
【００１９】
この湿し装置によれば、断熱材の周囲に吸水部材を配置した構成においては、隙間により吸水部材の取り替え時に、断熱材への結露の水滴に触れることがないので、水滴を滴下させる事態が防げる。また、加熱手段を設けた構成においては、吸水部材に吸水されて保持された水を蒸発させる空間が得られると共に、断熱材を加熱する事態が防げる。
【００２０】
上述の目的を達成するために、本発明の湿し装置の結露滴下防止方法では、湿し水を貯留する水槽の外面に、前記湿し水を保温する断熱材が設けられている湿し装置の結露滴下防止方法において、前記断熱材の周囲に生じた結露による水を毛細管現象により保水し、この保水した水を加熱して蒸発させることを特徴とする。
【００２１】
この湿し装置の結露滴下防止方法によれば、吸水されて保持された水を加熱して蒸発させることで、断熱材への結露による水の滴下が防げる。
【００２２】
上述の目的を達成するために、本発明のオフセット印刷機では、印刷媒体を供給する供給部と、前記供給部から供給された前記印刷媒体に印刷を施す印刷部と、前記印刷部で印刷された前記印刷媒体を排出する排出部とを備えたオフセット印刷機において、上記のいずれか一つに記載の湿し装置を前記印刷部に適用したことを特徴とする。
【００２３】
このオフセット印刷機によれば、断熱材への結露による水の滴下を防ぐことができ、オフセット印刷機の金属部品が錆びたり、ウェブが汚損したりする事態が防げる。
【発明の効果】
【００２４】
本発明によれば、水槽の周囲に設けられた断熱材への結露による水の滴下が防げる。
【図面の簡単な説明】
【００２５】
【図１】図１は、本発明の実施の形態に係るオフセット印刷機の概略構成図である。
【図２】図２は、印刷ユニットの概略構成図である。
【図３】図３は、本発明の実施の形態１に係る湿し装置の概略構成図である。
【図４】図４は、本発明の実施の形態２に係る湿し装置の概略構成図である。
【図５】図５は、本発明の実施の形態２に係る加熱手段の概略構成図である。
【図６】図６は、本発明の実施の形態２に係る加熱手段の概略構成図である。
【図７】図７は、本発明の実施の形態３に係る湿し装置の概略構成図である。
【図８】図８は、本発明の実施の形態４に係る湿し装置の概略構成図である。
【図９】図９は、本発明の実施の形態４に係る湿し装置の他の例の概略構成図である。
【図１０】図１０は、本発明の実施の形態５に係る湿し装置の概略構成図である。
【発明を実施するための形態】
【００２６】
以下に、本発明に係る実施の形態を図面に基づいて詳細に説明する。なお、この実施の形態によりこの発明が限定されるものではない。また、下記実施の形態における構成要素には、当業者が置換可能かつ容易なもの、あるいは実質的に同一のものが含まれる。
【００２７】
本実施の形態に係るオフセット印刷機は、図１に示すように、インキを用い、ロール状のウェブＷに印刷を施すオフセット輪転印刷機１０１である。
【００２８】
このオフセット輪転印刷機１０１は、給紙装置（供給部）１０２と、インフィード装置１０３と、印刷装置（印刷部）１０４と、乾燥装置１０５と、冷却装置１０６と、ウェブパス装置１０７と、折り装置１０８と、排紙装置（排出部）１０９とから構成されている。
【００２９】
給紙装置１０２は、２つの巻取体（ウェブロール）が装着されるリールスタンドを有しており、一方の巻取体から引き出されて走行しているウェブＷを、他方の巻取体のウェブに接続することで、連続的にウェブＷを供給可能な紙継装置を有している。インフィード装置１０３は、給紙装置１０２のウェブＷを印刷装置１０４側に供給するものである。印刷装置１０４は、４つのインキ色である藍（Cyan）、紅（Magenta）、黄（yellow）、墨（Black）ごとの４個の印刷ユニット１０４１がウェブＷの走行方向に沿って並設されて構成されている。乾燥装置１０５は、印刷装置１０４により印刷が施されたウェブＷのインキを乾燥させるためのものである。冷却装置１０６は、乾燥装置１０５での乾燥後の過剰な熱を蓄えるウェブＷを適当な温度まで冷却するものである。ウェブパス装置１０７は、乾燥されて冷却されたウェブＷを搬送するものである。折り装置１０８は、ウェブＷを縦折りした後に裁断し、所定の大きさに折り畳んで折丁を形成するものである。排紙装置１０９は、折り畳まれた折丁を機外へ搬出するものである。
【００３０】
従って、給紙装置１０２により巻取体から引き出されたウェブＷは、インフィード装置１０３により印刷装置１０４に供給され、この印刷装置１０４にて、各印刷ユニット１０４１により多色印刷が施される。印刷されたウェブＷは、乾燥装置１０５でインキが乾燥され、冷却装置１０６で冷却され、ウェブパス装置１０７を経て搬送された折り装置１０８により折丁が作成され、排紙装置１０９により搬出される。
【００３１】
本実施の形態のオフセット輪転印刷機１０１にて、印刷装置１０４の各印刷ユニット１０４１は、ほぼ同様の構成をなしている。そして、印刷ユニット１０４１は、図２に示すように、ウェブＷの表面に印刷を行う上ユニット１０４２と、ウェブＷの裏面に印刷を行う下ユニット１０４３とから構成されており、この上下のユニット１０４２，１０４３によりウェブＷの両面に印刷することができる。
【００３２】
上ユニット１０４２は、印刷画像が形成された刷版が装着される版胴１０４２ａと、版胴１０４２ａの刷版にインキを供給するインキ装置１０４２ｂと、版胴１０４２ａの刷版に湿し水を供給する湿し装置１０４２ｃと、版胴１０４２ａの刷版に供給されたインキによる画像をウェブＷの表面に転写するブランケット胴１０４２ｄとを有している。一方、下ユニット１０４３は、印刷画像が形成された刷版が装着される版胴１０４３ａと、版胴１０４３ａの刷版にインキを供給するインキ装置１０４３ｂと、版胴１０４３ａの刷版に湿し水を供給する湿し装置１０４３ｃと、版胴１０４３ａの刷版に供給されたインキによる画像をウェブＷの裏面に転写するブランケット胴１０４３ｄとを有している。これら上下ユニット１０４２，１０４３の各ブランケット胴１０４２ｄ，１０４３ｄは、互いに対向し所定の印圧で接している。そして、各ブランケット胴１０４２ｄ，１０４３ｄの間に形成されるニップ部にウェブＷが通過することで、このウェブＷの両面に印刷が施される。
【００３３】
［実施の形態１］
上述のオフセット輪転印刷機１０１に適用された実施の形態１の湿し装置１０４２ｃ，１０４３ｃは、図３に示すように、湿し水を貯留する水槽１を有している。水槽１は、枠状の側壁１ａと、底を閉塞する底板１ｂとにより、上方が開口する容器として構成されている。また、水槽１の側壁１ａおよび底板１ｂの外面には、断熱材２が設けられている。この断熱材２により、印刷ユニット内の高温雰囲気に対して、湿し水が摂氏十数度の低温に保温されるため、印刷品質を良質で安定させることが可能である。
【００３４】
また、実施の形態１の湿し装置１０４２ｃ，１０４３ｃは、水槽１に設けられた断熱材２の周囲に吸水部材３が設けられている。吸水部材３は、断熱材２の外面に沿うように設けられ、図３に示すように、少なくとも水槽１の底板１ｂの外面に配置された断熱材２に沿って配置されている。吸水部材３は、例えば、パイル織りされた布や網目状に編まれた布や不織布などの布材、スポンジ、またはハニカム状の多孔材のように、毛細管現象により水を吸水して保水性を有する構造体である。
【００３５】
このように、実施の形態１の湿し装置１０４２ｃ，１０４３ｃでは、水槽１に貯留された湿し水を保温する断熱材２の周囲に、保水性を有した吸水部材３が配置されている。
【００３６】
この湿し装置１０４２ｃ，１０４３ｃによれば、印刷ユニット１０４１内の高温雰囲気と、湿し水との温度差により断熱材２の外面が結露しても、この結露による水を吸水部材３の毛細管現象により吸水して保持する。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００３７】
また、実施の形態１の湿し装置１０４２ｃ，１０４３ｃでは、断熱材２と吸水部材３との間に隙間ｄが形成されている。この隙間ｄは、断熱材２への結露による水滴の断熱材２からの膨出径よりも大きく設定されている。
【００３８】
この湿し装置１０４２ｃ，１０４３ｃによれば、断熱材２への結露の水滴に、吸水部材３が接触しないため、吸水部材３が保水した水が飽和し、この吸水部材３を取り替える場合、断熱材２への結露の水滴に触れることなく吸水部材３を取り外しまたは取り付けすることが可能である。この結果、吸水部材３の取り替え時に、断熱材２への結露の水滴に触れて水滴を滴下させる事態を防ぐことが可能になる。
【００３９】
なお、断熱材２への結露による水を吸水部材３により吸水して保持する点では、吸水部材３が断熱材２に接触していてもよい。
【００４０】
また、本実施の形態１の湿し装置１０４２ｃ，１０４３ｃが適用されたオフセット印刷機によれば、断熱材２への結露による水を吸水部材３により吸水して保持するため、断熱材２への結露による水の滴下が防げるので、結露による水の滴下により生じ得る、オフセット印刷機の金属部品が錆びたり、ウェブＷが汚損したりする事態を防ぐことが可能になる。この結果、結露による水の滴下によるオフセット印刷機の故障を防ぐと共に、ウェブＷの無駄を抑制することができる。
【００４１】
しかも、このオフセット印刷機によれば、断熱材２と吸水部材３との間に設けた隙間ｄにより、吸水部材３の取り替え時に、断熱材２への結露の水滴に触れて水滴を滴下させる事態を防ぐことが可能になる。
【００４２】
［実施の形態２］
実施の形態２の湿し装置１０４２ｃ，１０４３ｃは、上述した実施の形態１と同様に、水槽１に貯留された湿し水を保温する断熱材２の周囲に、保水性を有した吸水部材３が配置されている。そして、実施の形態２の湿し装置１０４２ｃ，１０４３ｃは、吸水部材３の近傍に加熱手段４０が配置されている。加熱手段４０は、水槽１周辺の温度よりも高い温度にて吸水部材３を加熱するものである。
【００４３】
実施の形態２の加熱手段４０は、その熱源として、オフセット輪転印刷機１０１の機械部品に供給された潤滑用の潤滑油が適用されている。潤滑油は、図４に示すように、吸水部材３の直下にて、吸水部材３に接して複数並設された導管４０ａに送られる。導管４０ａは、比較的熱伝導性の高い、アルミニウム、鉄、銅、ステンレスなどの材料が用いられる。
【００４４】
印刷ユニット１０４１は、版胴１０４２ａ，１０４３ａ、インキ装置１０４２ｂ，１０４３ｂ、湿し装置１０４２ｃ，１０４３ｃ、およびブランケット胴１０４２ｄ，１０４３ｄを駆動するため、図５および図６に示すように、駆動部である歯車などの機械部品Ｐがフレーム１０４４により支持されている。このフレーム１０４４には、機械部品Ｐに潤滑油を供給する油供給装置５が設けられている。油供給装置５は、フレーム１０４４における機械部品Ｐの上方に配置された油貯留部５ａを有し、この油貯留部５ａに潤滑油を貯留しつつ、機械部品Ｐに供給する。
【００４５】
加熱手段４０は、フレーム１０４４における機械部品Ｐの下方に配置された油溜４０ｂを有している。導管４０ａは、この油溜４０ｂに接続されている。そして、機械部品Ｐに供給された後の潤滑油は、機械部品Ｐを冷却して熱交換され高温となり、油溜４０ｂに溜められる。油溜４０ｂに溜められた潤滑油は、導管４０ａを経て吸水部材３の近傍に導かれる。すなわち、高温の潤滑油により導管４０ａが温められ、この熱により吸水部材３が加熱される。このため、吸水部材３に吸水されて保持された水が加熱されて蒸発することになる。
【００４６】
このように、実施の形態２の湿し装置１０４２ｃ，１０４３ｃでは、水槽１周辺の温度よりも高い温度にて吸水部材３を加熱する加熱手段４０を備えている。
【００４７】
この湿し装置１０４２ｃ，１０４３ｃによれば、吸水部材３に吸水されて保持された水を加熱手段４０により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００４８】
しかも、この湿し装置１０４２ｃ，１０４３ｃによれば、加熱手段４０の熱源として、機械部品に供給された潤滑用の潤滑油を適用しているので、別途熱源を必要としない。
【００４９】
また、実施の形態２の湿し装置１０４２ｃ，１０４３ｃでは、断熱材２と吸水部材３との間に隙間ｄが形成されている。この隙間ｄは、断熱材２への結露による水滴の断熱材２からの膨出径よりも大きく設定されている。
【００５０】
この湿し装置１０４２ｃ，１０４３ｃによれば、隙間ｄにより、吸水部材３に吸水されて保持された水を蒸発させる空間が得られると共に、断熱材２を加熱する事態を防ぐことが可能になる。
【００５１】
また、本実施の形態２の湿し装置１０４２ｃ，１０４３ｃが適用されたオフセット印刷機によれば、吸水部材３に吸水されて保持された水を加熱手段４０により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、結露による水の滴下により生じ得る、オフセット印刷機の金属部品が錆びたり、ウェブＷが汚損したりする事態を防ぐことが可能になる。この結果、結露による水の滴下によるオフセット印刷機の故障を防ぐと共に、ウェブＷの無駄を抑制することができる。さらに、実施の形態２のオフセット印刷機は、断熱材２と吸水部材３との間に設けた隙間ｄにより、吸水部材３に吸水されて保持された水を蒸発させる空間が得られると共に、断熱材２を加熱する事態を防ぐことが可能になる。
【００５２】
しかも、このオフセット印刷機によれば、加熱手段４０の熱源として、機械部品に供給された潤滑用の潤滑油を適用しているので、別途熱源を必要としない。さらに、吸水部材３の加熱によって熱交換して潤滑油を冷却できるので、潤滑油の冷却に要するエネルギーを節約することが可能になる。
【００５３】
［実施の形態３］
実施の形態３の湿し装置１０４２ｃ，１０４３ｃは、上述した実施の形態１と同様に、水槽１に貯留された湿し水を保温する断熱材２の周囲に、保水性を有した吸水部材３が配置されている。そして、実施の形態３の湿し装置１０４２ｃ，１０４３ｃは、吸水部材３の近傍に加熱手段４１が配置されている。加熱手段４１は、水槽１周辺の温度よりも高い温度にて吸水部材３を加熱するものである。
【００５４】
実施の形態３の加熱手段４１は、その熱源として、オフセット輪転印刷機１０１の機械部品の冷却において熱交換された送風が適用されている。送風は、図７に示すように、吸水部材３の直下に、吸水部材３に沿って設けられた送風管４１ａに送られる。送風管４１ａは、印刷ユニット１０４１またはオフセット輪転印刷機１０１にて排熱用の送風機４１ｂに接続されている。
【００５５】
印刷ユニット１０４１には、図２に示すように、版胴１０４２ａ，１０４３ａ、インキ装置１０４２ｂ，１０４３ｂ、湿し装置１０４２ｃ，１０４３ｃ、およびブランケット胴１０４２ｄ，１０４３ｄなどの機械部品が配置されている。また、印刷ユニット１０４１には、図５および図６に示すように、版胴１０４２ａ，１０４３ａ、インキ装置１０４２ｂ，１０４３ｂ、湿し装置１０４２ｃ，１０４３ｃ、およびブランケット胴１０４２ｄ，１０４３ｄなどを駆動するための駆動部である歯車などの機械部品Ｐが配置されている。
【００５６】
上記機械部品は、稼働に際して熱を生じるため、この熱が送風機４１ｂにより印刷ユニット１０４１の外部に排熱される。この排熱は、機械部品の冷却において熱交換されて高温となり、送風管４１ａを経て吸水部材３に導かれる。すなわち、高温の送風の熱により吸水部材３が加熱される。このため、吸水部材３に吸水されて保持された水が加熱されて蒸発することになる。
【００５７】
このように、実施の形態３の湿し装置１０４２ｃ，１０４３ｃでは、水槽１周辺の温度よりも高い温度にて吸水部材３を加熱する加熱手段４１を備えている。
【００５８】
この湿し装置１０４２ｃ，１０４３ｃによれば、吸水部材３に吸水されて保持された水を加熱手段４１により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００５９】
しかも、この湿し装置１０４２ｃ，１０４３ｃによれば、加熱手段４１の熱源として、機械部品の冷却において熱交換された送風を適用しているので、別途熱源を必要としない。
【００６０】
なお、図には明示しないが、加熱手段４１に適用された送風をさらに加熱するため、送風管４１ａ内に、上述した実施の形態２の導管４０ａを配置してもよい。また、図には明示しないが、加熱手段４１に適用された送風をさらに加熱するため、送風管４１ａ内に、ヒータを設けてもよい。これによれば、吸水部材３に吸水されて保持された水の蒸発を、促進させることが可能になる。
【００６１】
また、実施の形態３の湿し装置１０４２ｃ，１０４３ｃでは、断熱材２と吸水部材３との間に隙間ｄが形成されている。この隙間ｄは、断熱材２への結露による水滴の断熱材２からの膨出径よりも大きく設定されている。
【００６２】
この湿し装置１０４２ｃ，１０４３ｃによれば、隙間ｄにより、吸水部材３に吸水されて保持された水を蒸発させる空間が得られると共に、断熱材２を加熱する事態を防ぐことが可能になる。
【００６３】
また、本実施の形態３の湿し装置１０４２ｃ，１０４３ｃが適用されたオフセット印刷機によれば、吸水部材３に吸水されて保持された水を加熱手段４１により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、結露による水の滴下により生じ得る、オフセット印刷機の金属部品が錆びたり、ウェブＷが汚損したりする事態を防ぐことが可能になる。この結果、結露による水の滴下によるオフセット印刷機の故障を防ぐと共に、ウェブＷの無駄を抑制することができる。さらに、実施の形態３のオフセット印刷機は、断熱材２と吸水部材３との間に設けた隙間ｄにより、吸水部材３に吸水されて保持された水を蒸発させる空間が得られると共に、断熱材２を加熱する事態を防ぐことが可能になる。
【００６４】
しかも、このオフセット印刷機によれば、加熱手段４１の熱源として、機械部品の冷却において熱交換された送風を適用しているので、別途熱源を必要としない。さらに、吸水部材３の加熱によって熱交換して送風された空気を冷却できるので、印刷ユニット１０４１またはオフセット輪転印刷機１０１の排気を冷やすことが可能になる。
【００６５】
［実施の形態４］
実施の形態４の湿し装置１０４２ｃ，１０４３ｃは、上述した実施の形態１と同様に、水槽１に貯留された湿し水を保温する断熱材２の周囲に、保水性を有した吸水部材３が配置されている。そして、実施の形態４の湿し装置１０４２ｃ，１０４３ｃは、吸水部材３の近傍に加熱手段４２が配置されている。加熱手段４２は、水槽１周辺の温度よりも高い温度にて吸水部材３を加熱するものである。
【００６６】
実施の形態４の加熱手段４２は、その熱源として、水槽１が配置される印刷ユニット１０４１のフレーム１０４４が適用されている。実施の形態４の加熱手段４２は、図８に示すように、吸水部材３がフレーム１０４４に至り延在されフレーム１０４４に接触されている。
【００６７】
印刷ユニット１０４１には、図２に示すように、版胴１０４２ａ，１０４３ａ、インキ装置１０４２ｂ，１０４３ｂ、湿し装置１０４２ｃ，１０４３ｃ、およびブランケット胴１０４２ｄ，１０４３ｄなどの機械部品が配置されている。また、印刷ユニット１０４１には、図５および図６に示すように、版胴１０４２ａ，１０４３ａ、インキ装置１０４２ｂ，１０４３ｂ、湿し装置１０４２ｃ，１０４３ｃ、およびブランケット胴１０４２ｄ，１０４３ｄなどを駆動するための駆動部である歯車などの機械部品Ｐが配置されている。これら機械部品は、フレーム１０４４により支持されている。
【００６８】
上記機械部品は、稼働に際して熱を生じるため、この熱がフレーム１０４４を介して吸水部材３に伝わることになる。すなわち、フレーム１０４４を介して伝わる熱により吸水部材３が加熱される。このため、吸水部材３に吸水されて保持された水が加熱されて蒸発することになる。
【００６９】
このように、実施の形態４の湿し装置１０４２ｃ，１０４３ｃでは、水槽１周辺の温度よりも高い温度にて吸水部材３を加熱する加熱手段４２を備えている。
【００７０】
この湿し装置１０４２ｃ，１０４３ｃによれば、吸水部材３に吸水されて保持された水を加熱手段４２により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００７１】
しかも、この湿し装置１０４２ｃ，１０４３ｃによれば、加熱手段４２の熱源として、熱を生じる機械部品を支持するフレーム１０４４を適用しているので、別途熱源を必要としない。
【００７２】
なお、加熱手段４２の熱源として、熱を生じる機械部品を支持するフレーム１０４４を適用する場合、図９に示すように、熱伝導性の比較的高い伝熱部材４２ａを、フレーム１０４４に固定し、この伝熱部材４２ａを吸水部材３の直下にて、吸水部材３に接して設けてもよい。伝熱部材４２ａとしては、アルミニウム、鉄、銅、ステンレスなどの材料が用いられる。すなわち、フレーム１０４４から伝熱部材４２ａを介して伝わる熱により吸水部材３が加熱される。このため、吸水部材３に吸水されて保持された水が加熱されて蒸発することになる。
【００７３】
また、実施の形態４の湿し装置１０４２ｃ，１０４３ｃでは、断熱材２と吸水部材３との間に隙間ｄが形成されている。この隙間ｄは、断熱材２への結露による水滴の断熱材２からの膨出径よりも大きく設定されている。
【００７４】
この湿し装置１０４２ｃ，１０４３ｃによれば、隙間ｄにより、吸水部材３に吸水されて保持された水を蒸発させる空間が得られると共に、断熱材２を加熱する事態を防ぐことが可能になる。
【００７５】
また、本実施の形態４の湿し装置１０４２ｃ，１０４３ｃが適用されたオフセット印刷機によれば、吸水部材３に吸水されて保持された水を加熱手段４２により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、結露による水の滴下により生じ得る、オフセット印刷機の金属部品が錆びたり、ウェブＷが汚損したりする事態を防ぐことが可能になる。この結果、結露による水の滴下によるオフセット印刷機の故障を防ぐと共に、ウェブＷの無駄を抑制することができる。さらに、実施の形態３のオフセット印刷機は、断熱材２と吸水部材３との間に設けた隙間ｄにより、吸水部材３に吸水されて保持された水を蒸発させる空間が得られると共に、断熱材２を加熱する事態を防ぐことが可能になる。
【００７６】
しかも、このオフセット印刷機によれば、加熱手段４２の熱源として、熱を生じる機械部品を支持するフレーム１０４４を適用しているので、別途熱源を必要としない。さらに、吸水部材３の加熱によって熱交換してフレーム１０４４を冷却できるので、印刷ユニット１０４１およびオフセット輪転印刷機１０１の温度上昇を抑制することが可能になる。
【００７７】
［実施の形態５］
実施の形態５の湿し装置１０４２ｃ，１０４３ｃは、上述した実施の形態１と同様に、水槽１に貯留された湿し水を保温する断熱材２の周囲に、保水性を有した吸水部材３が配置されている。そして、実施の形態５の湿し装置１０４２ｃ，１０４３ｃは、吸水部材３の近傍に加熱手段４３が配置されている。加熱手段４３は、水槽１周辺の温度よりも高い温度にて吸水部材３を加熱するものである。
【００７８】
実施の形態５の加熱手段４３は、その熱源として、図１０に示すヒータが適用されている。
【００７９】
このように、実施の形態５の湿し装置１０４２ｃ，１０４３ｃでは、水槽１周辺の温度よりも高い温度にて吸水部材３を加熱する加熱手段４３を備えている。
【００８０】
この湿し装置１０４２ｃ，１０４３ｃによれば、吸水部材３に吸水されて保持された水を加熱手段４３により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００８１】
また、実施の形態５の湿し装置１０４２ｃ，１０４３ｃでは、断熱材２と吸水部材３との間に隙間ｄが形成されている。この隙間ｄは、断熱材２への結露による水滴の断熱材２からの膨出径よりも大きく設定されている。
【００８２】
この湿し装置１０４２ｃ，１０４３ｃによれば、隙間ｄにより、吸水部材３に吸水されて保持された水を蒸発させる空間が得られると共に、断熱材２を加熱する事態を防ぐことが可能になる。
【００８３】
また、本実施の形態５の湿し装置１０４２ｃ，１０４３ｃが適用されたオフセット印刷機によれば、吸水部材３に吸水されて保持された水を加熱手段４３により加熱して蒸発させることで、断熱材２への結露による水の滴下をさらに防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、結露による水の滴下により生じ得る、オフセット印刷機の金属部品が錆びたり、ウェブＷが汚損したりする事態を防ぐことが可能になる。この結果、結露による水の滴下によるオフセット印刷機の故障を防ぐと共に、ウェブＷの無駄を抑制することができる。さらに、実施の形態３のオフセット印刷機は、断熱材２と吸水部材３との間に設けた隙間ｄにより、吸水部材３に吸水されて保持された水を蒸発させる空間が得られると共に、断熱材２を加熱する事態を防ぐことが可能になる。
【００８４】
また、上述した実施の形態２〜５に係る湿し装置の結露滴下防止方法では、断熱材２の周囲に生じた結露による水を毛細管現象により保水し、この保水した水を加熱して蒸発させる。
【００８５】
この湿し装置の結露滴下防止方法によれば、吸水されて保持された水を加熱して蒸発させることで、断熱材２への結露による水の滴下を防ぐことが可能になる。すなわち、印刷の高速化、または安全性のためのカバーやプロテクターにより印刷ユニット１０４１内の温度が上昇し、断熱材２の外面が結露し易い傾向にあっても、水の滴下防止効果が顕著に得られる。このため、断熱材２への結露による水の滴下を防ぐことが可能になる。この結果、結露による水の滴下により生じ得る、オフセット印刷機の金属部品が錆びたり、ウェブＷが汚損したりする事態を防ぐことが可能になる。
【００８６】
ところで、上述した各実施の形態では、湿し装置を、両面印刷可能なオフセット輪転印刷機に適用した例を説明したが、この限りではない。例えば、ウェブＷの片面にのみ印刷を行うオフセット輪転印刷機や、新聞の印刷を行う新聞用オフセット輪転印刷機や、印刷媒体である枚葉紙（の両面または片面）に印刷を行うオフセット枚葉輪転印刷機に、上記湿し装置を適用しても、同様の効果を得ることが可能である。
【産業上の利用可能性】
【００８７】
以上のように、本発明に係る湿し装置、湿し装置の結露滴下防止方法およびオフセット印刷機は、水槽の周囲に設けられた断熱材への結露による水の滴下を防ぐことに適している。
【符号の説明】
【００８８】
１  水槽
１ａ  側壁
１ｂ  底板
２  断熱材
３  吸水部材
５  油供給装置
５ａ  油貯留部
４０  加熱手段
４０ａ  導管
４０ｂ  油溜
４１  加熱手段
４１ａ  送風管
４１ｂ  送風機
４２  加熱手段
４２ａ  伝熱部材
４３  加熱手段
１０１  オフセット輪転印刷機
１０２  給紙装置
１０３  インフィード装置
１０４  印刷装置
１０４１  印刷ユニット
１０４２  上ユニット
１０４２ａ  版胴
１０４２ｂ  インキ装置
１０４２ｃ  湿し装置
１０４２ｄ  ブランケット胴
１０４３  下ユニット
１０４３ａ  版胴
１０４３ｂ  インキ装置
１０４３ｃ  湿し装置
１０４３ｄ  ブランケット胴
１０４４  フレーム
１０５  乾燥装置
１０６  冷却装置
１０７  ウェブパス装置
１０８  折り装置
１０９  排紙装置
ｄ  隙間
Ｐ  機械部品
Ｗ  ウェブ
【図１】
2010228368.tif 000003
【図２】
2010228368.tif 000004
【図３】
2010228368.tif 000005
【図４】
2010228368.tif 000006
【図５】
2010228368.tif 000007
【図６】
2010228368.tif 000008
【図７】
2010228368.tif 000009
【図８】
2010228368.tif 000010
【図９】
2010228368.tif 000011
【図１０】
2010228368.tif 000012